(57)【要約】【課題】  従来、池水、湖沼水、養魚池水の光触媒浄化は陸上の光触媒装置に水をポンプ供給して行われていたが、浄化対象の池、湖沼、養魚池などの水中に直接浮かべて自然屋外で太陽光・可視光により光触媒浄水作用を利用できるようにし、設置場所の制限を受けず、設備価格及びランニングコストを低廉にする。【解決手段】  シリコーンゴムコンパウンドに加硫剤と発泡剤とを加えてスポンジ状の多孔質材を造るに当たって、独立泡１４を形成する発泡剤と連続層１５を形成する発泡剤を組成物が水中で半浮遊状態所定の比重が得られる割合で加え、同時に可視光応答型の光触媒と銀微粒子を配合混練して組成物とし、その形状を水面上の頭頂部１１から水中に至る斜面部１２を設けさらに水平方向に延長平面部１３を設けて形成し光触媒浄水具１０とし、浄化対象水中に半水没状態に浮遊させ太陽光・可視光により光触媒浄水作用を発現させる。【選択図】          図１
2007105709.tif 000002
【特許請求の範囲】
【請求項１】
シリコーンゴムコンパウンドに加硫剤と発泡剤とを加えて多孔質素材を造るに当たって、組成物が水中で半浮遊状態になる比重が得られる割合で、独立泡を形成する発泡剤と連続層を形成する発泡剤とを加え、同時に可視光応答型の光触媒を配合し、さらに銀微粒子を配合し混練して高温熱風架橋成形法で組成物とすることを特徴とする光触媒担持多孔質組成物。
【請求項２】
前記組成物の形状を水面上の頭頂部から水中に至る斜面部を設け水中で斜面部から水平方向に延びる延長平面部を設けて略円錐形状または略方形台状の形状として、水中に半水没状態に浮遊させ、可視光を受けて光り触媒作用を発揮させるようにしことを特徴とする該組成物を用いた光触媒浄水具。
【発明の詳細な説明】
【技術分野】
【００１】  本発明は、浄化対象の水面に半水没状態に浮遊させて使用し、風や波浪によって浮遊移動し、太陽光・可視光を受けて光触媒作用を発現し、接触する水を浄化する組成物とその組成物を用いた光触媒浄水具に関するものである。
【背景技術】
【００２】  従来から、光触媒の持つ環境浄化作用・有機物分解作用が広く知られているが、これまで光触媒を水の浄化に使用するに際しては、処理対象水を装置内にポンプ供給し導入し、紫外線灯による紫外線照射を行っている光触媒を担持またはコーティングした材料に接触通過させ光触媒作用を発現させ浄水するものであった。
【発明の開示】
【発明が解決しようとする課題】
【００３】  池、湖沼、養魚池などの浄水を行うに際して、これまでの陸上に設置した光触媒浄水装置内に処理対象の水をポンプ供給して、装置内で紫外線照射し光触媒作用による浄水作用を行った後、ポンプ排水により元の池、湖沼、養魚池などに戻す方法においては、装置が大型化複雑化し高コストになっているとともに、装置メンテナンスも不可欠であり高ランニングコストとなっている。また装置設置場所も電源などの都合で制約を受けていた。
【課題を解決するための手段】
【００４】  この課題を解決するための請求項１の発明は、浄化対象の池、湖沼、養魚池などの水中に直接浮かべて自然屋外で浄水作用を使用できるようにするため、シリコーンゴムコンパウンドに加硫剤と発泡剤とを加えてスポンジ状の多孔質材を造るに当たって、独立泡を形成する発泡剤と連続層を形成する発泡剤を組成物が水中で半浮遊状態所定の比重が得られる割合で加え、同時に可視光応答型の光触媒粉体と銀微粒子を配合し、これらを混練して高温熱風架橋成形法で多孔質組成物とすることを特徴とする。可視光応答型の光触媒を配合担持させることにより、太陽光・可視光のもとで組成物表面に析出した光触媒に光触媒作用を発現させることができ、また、銀微粒子の添加によって太陽光・可視光が無い夜間などにも抗菌性を発揮する。
シリコーンゴムコンパウンドをスポンジ状に発泡させ連続層によって多孔質化することにより該組成物の比表面積が著しく増大して配合担持された光触媒の組成物表面に析出した部分が相対的に増加し、光触媒作用面積が増大する。
シリコーンゴムは、無機・有機複合材料であるので長期的にはその表層部の有機部分に光触媒作用による浸食が起こるが、浸食や使用中の摩耗の際に組成物内層部の配合光触媒粒子が内層にあってあらたに光触媒作用面として顔を出すことになり光触媒浄化作用を継続発揮することができる。【００５】  また、請求項２の発明は、組成物の形状を水面上の頭頂部から水中に至る斜面部を設け水中で斜面部から水平方向に延長平面部を設けた略円錐形状または略方形台状として、組成物に内在する独立泡と連続層の量バランスから生じる浮力によって水面付近に半水没状態に浮遊させるようにしたことを特徴とする。
外形部に斜面を設けることにより太陽光の入射角に正対する角度に近づけることができ、また水中の延長平面部で水中に至る太陽光の受光面積を増加でき、光触媒効果を効率的に発現することができる。
本発明の浄水具を水面上に頭頂部を出し浮遊させ、風や波浪を受け可視光下で浮遊移動するとき光触媒作用面に接触する水に浄化作用を及ぼすことになる。
【発明の効果】
【００６】  本発明は、浄水対象の池、湖沼、養魚池などの水面に直接浮かべて使用するので、設置場所の制約を受けずどこででも使用できる。
従来のようなポンプによる処理対象水の移送が不要で、陸上設置の光触媒装置を必要とせず、設備価格がきわめて低廉となる。
また、太陽光、可視光により光触媒作用を発揮することができることから、運転に電気料金がかからず、メンテナンスが殆ど不要であることからランニングコストが殆どかからないなどの効果がある。
光触媒の持つ有機物分解作用により、池水、湖沼水、養魚池水の富栄養化の抑制や有機汚濁の低減などに効果がある。
【発明を実施するための最良の形態】
【００７】  シリコーンゴムコンパウンドに加硫剤と発泡剤とを加えてスポンジ状の多孔質素材材を造るに当たって、独立泡を形成する発泡剤と連続層を形成する発泡剤を組成物が水中で半浮遊状態になる比重が得られる割合で加え、同時に可視光応答型の光触媒粉体を配合し混練して高温熱風架橋成形法で多孔質組成物とする。
可視光応答型の光触媒粉体を配合担持させることにより、太陽光可視光のもとで光触媒作用を発揮するとともに組成物を連続層によって多孔質化することにより該組成物の比表面積が著しく増大し、配合担持された光触媒の作用面積が相対的に増大する。
上記を具体的に製作するに当たって下記の材料と方法を用いた。
シリコンゴムコンパウンドに独立泡形成に信越化学工業（株）製の独立泡用加硫剤Ｃ−３と独立泡用発泡剤ＫＥ−Ｐ−２６を用い、連続層形成に信越化学工業（株）製の連続層用加硫剤としてＣ−８Ｂと連続層発泡剤としてＸ−９３−１６０１を用い配合し、これに光触媒として石原産業（株）製の可視光応答型光触媒ＭＰＴ−６２３を配合し、さらに微細な銀粉を微量添加し混練し、所定の形状に成形し、高温熱風架橋成形法で組成物とした。
組成物中の独立泡と連続層の形成割合を変化させることによって組成物の浮力を変化させることができ、水中での該組成物の浮遊状態を目的の浮遊状態とする配合割合を選定した。【００８】  本発明の組成物による浄水具としての実施の形態を図面に基づき説明する。
図１に示す如く、組成物の形状を水面上の頭頂部１１から水中に至る斜面部１２を設け水中で斜面部から水平方向に延長平面部１３を設けた略円錐形状または略方形台状として形成し光触媒浄水具１０とする。組成物に内在する独立泡１４と連続層１５の量バランスから生じる浮力によって浄化対象水２１の水面２０の水面上に頭頂部１１を出して半水没状態に浮遊させる。
外形部に斜面を設けることにより太陽光の入射角に正対する角度に近づけることができ、また水中の延長平面部１３で水中に至る太陽光の受光面積を増加でき、光触媒効果を効率的に発現することができる。
【産業上の利用可能性】
【００９】  本発明は池、湖沼、養魚池などの貯水の浄化に有用であり、水源湖水の浄化や水産品製造業の使用水浄化や養殖漁業の産業分野で利用することができる。
【図面の簡単な説明】
【０１０】
【図１】  本発明の組成物による光触媒浄水具を水中に浮かべて使用する状態を示す断面図である。
【符号の説明】
【０１１】    １０  光触媒浄水具
１１  頭頂部
１２  斜面部
１３  延長平面部
１４  独立泡
１５  連続層
２０  水面
２１  浄化対象水
【図１】
2007105709.tif 000003